(57)【要約】【課題】簡単な手段で二重床における床衝撃音を緩和可能な建物の防音構造を提供する。【解決手段】二重床２０、二重壁３０および二重天井４０を有する建物の防音構造であって、二重床の内部空間２５と二重壁の内部空間３５とを連通する第１の連通手段２７と、二重壁の内部空間３５と二重天井の内部空間４５とを連通する第２の連通手段３７と、二重壁の内部空間および／または二重天井の内部空間と室内空間Ｒとを連通する第３の連通手段３８，３９と、を備え、二重床への衝撃に起因する内部空間における空気圧変動に対して第１の連通手段により二重壁の内部空間の空気が連動し、第２の連通手段により二重天井の内部空間の空気が連動し、さらに第３の連通手段により室内空間の空気が連動することで、空気圧変動を緩和する。【選択図】図１
2015017392.tif 000002
【特許請求の範囲】
【請求項１】
二重床、二重壁および二重天井を有する建物の防音構造であって、
前記二重床の内部空間と前記二重壁の内部空間とを連通する第１の連通手段と、
前記二重壁の内部空間と前記二重天井の内部空間とを連通する第２の連通手段と、
前記二重壁の内部空間および／または前記二重天井の内部空間と室内空間とを連通する第３の連通手段と、を備え、
前記二重床への衝撃に起因する内部空間における空気圧変動に対して前記第１の連通手段により前記二重壁の内部空間の空気が連動し、前記第２の連通手段により前記二重天井の内部空間の空気が連動し、さらに前記第３の連通手段により室内空間の空気が連動することで、前記空気圧変動を緩和することを特徴とする建物の防音構造。
【請求項２】
前記第３の連通手段は、天井面に部分的に設けた天井開口を有し、
前記天井開口を覆うように透光性材料を配置するとともに、前記透光性材料と天井面との間に隙間が形成されるようにした請求項１に記載の建物の防音構造。
【請求項３】
前記天井開口に照明具を配置した請求項２に記載の建物の防音構造。
【請求項４】
二重床、二重壁および二重天井を有する建物の防音構造であって、
前記二重床の内部空間と前記二重壁の内部空間とを連通する第１の連通手段と、
前記二重壁の内部空間と前記二重天井の内部空間とを連通する第２の連通手段と、
前記二重天井の少なくとも一部に設けられ前記二重天井の内部空間の空気圧変動で容易に変形する易変形手段と、を備え、
前記二重床への衝撃に起因する内部空間における空気圧変動に対して前記第１の連通手段により前記二重壁の内部空間の空気が連動し、前記第２の連通手段により前記二重天井の内部空間の空気が連動し、さらに前記二重天井において前記易変形手段が変形することで、前記空気圧変動を緩和することを特徴とする建物の防音構造。
【請求項５】
前記易変形手段は、膜状部材を有し、前記膜状部材が前記二重天井の面に部分的に配置される請求項４に記載の建物の防音構造。
【請求項６】
前記膜状部材は透光性材料からなり、
前記膜状部材が配置された前記二重天井部分に照明具を設けた請求項５に記載の建物の防音構造。
【請求項７】
前記易変形手段は、剛性の小さな天井の下地材と、柔軟性のある仕上げ材と、を有し、天井面全体が変形する請求項４に記載の建物の防音構造。
【発明の詳細な説明】
【技術分野】
【０００１】
本発明は、建物内に二重床を設置する防音構造に関する。
【背景技術】
【０００２】
従来から、建物内に防音・遮音のために二重床を設置すると、床が飛び跳ね等による衝撃を受けたときに、その内部に封印された空気層によるバネ効果（いわゆる太鼓現象）によって、二重床がない場合に比較して、床衝撃音の遮断性が悪化してしまうことが知られている。この問題を解消するために、二重床内の空気を部屋内部の空気と連通させることを目的として壁の仕上げ要素である巾木の下部に隙間を設ける方法が提案されている（特許文献１，２参照）。また、この巾木の下部の隙間を目立たなくする方法として、短繊維を配置する方法などが提案されている（特許文献２参照）。
【先行技術文献】
【特許文献】
【０００３】
【特許文献１】特開2002-81198号公報
【特許文献２】特開2012-197601号公報
【発明の概要】
【発明が解決しようとする課題】
【０００４】
しかし、巾木の下部に隙間を設けると、二重床を掃除する際にゴミがたまりやすくなる、依然として巾木がしっかり施工されていないような印象を与えてしまう、などの問題があった。かかる問題を回避し巾木の下部に隙間を設けることなく、二重床において床衝撃音を簡単な手段で緩和することが要求されている。
【０００５】
本発明は、上述のような従来技術の問題に鑑み、簡単な手段で二重床における床衝撃音を緩和可能な建物の防音構造を提供することを目的とする。
【課題を解決するための手段】
【０００６】
上記目的を達成するために、本実施形態による建物の防音構造は、二重床、二重壁および二重天井を有する建物の防音構造であって、前記二重床の内部空間と前記二重壁の内部空間とを連通する第１の連通手段と、前記二重壁の内部空間と前記二重天井の内部空間とを連通する第２の連通手段と、前記二重壁の内部空間および／または前記二重天井の内部空間と室内空間とを連通する第３の連通手段と、を備え、前記二重床への衝撃に起因する内部空間における空気圧変動に対して前記第１の連通手段により前記二重壁の内部空間の空気が連動し、前記第２の連通手段により前記二重天井の内部空間の空気が連動し、さらに前記第３の連通手段により室内空間の空気が連動することで、前記空気圧変動を緩和することを特徴とする。
【０００７】
この建物の防音構造によれば、第１および第２の連通手段により二重床の内部空間と二重壁の内部空間との間および二重壁の内部空間と二重天井の内部空間との間で空気を連通させ、さらに第３の連通手段により室内空間と連通させることで、二重床への衝撃により内部空間の空気圧変動が生じたとき、二重壁の内部空間と二重天井の内部空間との空気が連動し、さらに室内の空気が連動することで、空気圧変動を緩和する。第１および第２の連通手段は、たとえば、パイプやダクトや孔などでよく、第３の連通手段は、たとえば、孔やスリットなどの簡単な手段でよい。このように簡単な手段で二重床への衝撃音を緩和することができる。
【０００８】
上記建物の防音構造において、前記第３の連通手段は、天井面に部分的に設けた天井開口を有し、前記天井開口を覆うように透光性材料を配置するとともに、前記透光性材料と天井面との間に隙間が形成されるように構成できる。天井開口を透光性材料で覆うことで室内側から天井開口を見えなくする一方、透光性材料と天井面との間に隙間を形成することで、室内空間と連通させることができる。この場合、前記天井開口に照明具を配置することで、前記第３の連通手段が照明手段を兼用できる。
【０００９】
本実施形態による別の建物の防音構造は、二重床、二重壁および二重天井を有する建物の防音構造であって、前記二重床の内部空間と前記二重壁の内部空間とを連通する第１の連通手段と、前記二重壁の内部空間と前記二重天井の内部空間とを連通する第２の連通手段と、前記二重天井の少なくとも一部に設けられ前記二重天井の内部空間の空気圧変動で容易に変形する易変形手段と、を備え、前記二重床への衝撃に起因する内部空間における空気圧変動に対して前記第１の連通手段により前記二重壁の内部空間の空気が連動し、前記第２の連通手段により前記二重天井の内部空間の空気が連動し、さらに前記二重天井において前記易変形手段が変形することで、前記空気圧変動を緩和することを特徴とする。
【００１０】
この建物の防音構造によれば、第１および第２の連通手段により二重床の内部空間と二重壁の内部空間との間および二重壁の内部空間と二重天井の内部空間との間で空気を連通させ、二重天井の少なくとも一部に易変形手段を設けることで、二重床への衝撃により内部空間の空気圧変動が生じたとき、二重壁の内部空間と二重天井の内部空間との空気が連動し、さらに二重天井の易変形手段が変形することで、空気圧変動を緩和する。第１および第２の連通手段は、たとえば、パイプやダクトなどでよく、易変形手段は、たとえば、膜状部材などであってよい。このように簡単な手段で二重床への衝撃音を緩和することができる。
【００１１】
上記別の建物の防音構造において、前記易変形手段は、膜状部材を有し、前記膜状部材が前記二重天井の面に部分的に配置されることが好ましい。この場合、前記膜状部材は透光性材料からなり、前記膜状部材が配置された前記二重天井部分に照明具を設けることで、前記易変形手段が照明手段を兼用できる。
【００１２】
前記易変形手段は、剛性の小さな天井の下地材と、柔軟性のある仕上げ材と、を有し、天井面全体が変形するように構成してもよい。
【発明の効果】
【００１３】
本発明の建物の防音構造によれば、簡単な手段で二重床における床衝撃音を緩和することができる。
【図面の簡単な説明】
【００１４】
【図１】第１の実施形態による建物の要部断面を示す断面図である。
【図２】図１のスリットを構成するためのはめ込み式のスリット組立体を概略的に示す斜視図である。
【図３】図２のスリット組立体を内壁にはめ込んだ状態を示す断面図（ａ）、同じく図３（ａ）の方向ＢＢから見た図（ｂ）、および、同じく図３（ａ）の方向ＣＣから見た図（ｃ）である。
【図４】図１の二重天井の天井面の一部に開口を設け、照明具および透光性のある膜状部材を配置した例を示す要部断面図（ａ）およびその天井面を示す図（ｂ）である。
【図５】第２の実施形態による建物の要部断面を示す断面図である。
【図６】図５の天井面の要部を示す図である。
【図７】第２の実施形態の変形例による建物の要部断面を示す図５と同様の断面図である。
【図８】図７のVIII-VIII線方向に切断して見た断面図である。
【発明を実施するための形態】
【００１５】
以下、本発明を実施するための形態について図面を用いて説明する。
【００１６】
〈第１の実施形態〉
図１は第１の実施形態による建物の要部断面を示す断面図である。図１のように、本実施形態による建物１０は、柱（図示省略）と梁Ｂとからなる柱梁構造を備える高層の集合住宅であり、多数の部屋が構築され、各部屋は、二重床２０と二重壁３０と二重天井４０とを有する防音構造となっている。この防音構造は、次のようにして、二重床への衝撃音を緩和するようになっている。
【００１７】
二重床２０は、躯体スラブＳの上に構築され、床スラブ２１と、躯体スラブＳと床スラブ２１との間に配置された防振マット２２と、を有し、防振マット２２は、その下方に部分的に突き出た突出部にはめ込まれた多数のピース状の防振ゴム２３を有する。躯体スラブＳと防振マット２２との間に内部空間２５が形成されている。
【００１８】
二重壁３０は、外壁Ｗ１側に、外壁側内壁３１と壁下地材３４とを有し、外壁側内壁３１と外壁Ｗ１との間に内部空間３５が形成されている。内部空間３５の外壁Ｗ１側には吹き付けによる断熱層３６が設けられている。二重壁３０は、戸境壁Ｗ２側にも設けられ、戸境壁側内壁３２と壁下地材３４とを有し、戸境壁側内壁３２と戸境壁Ｗ２との間に内部空間３５が形成されている。
【００１９】
二重天井４０は、天井面４１と天井下地材４４とを有し、天井面４１と上階の躯体スラブＳとの間に内部空間４５が形成されている。
【００２０】
二重床２０の端部と二重壁３０の下端部との間に複数本の連通パイプ２７が縦方向に配置され、連通パイプ２７の下端が二重床２０の内部空間２５に開口し、連通パイプ２７の上端が二重壁３０の内部空間３５に開口している。連通パイプ２７により二重床２０の内部空間２５と二重壁３０の内部空間３５とを連通している。
【００２１】
二重壁３０の外壁Ｗ１側の上端において、二重壁３０の内部空間３５と、二重天井４０の内部空間４５とを連通する連通部３７が設けられている。内壁３１は上端部内壁３１ａを有し、上端部内壁３１ａにより連通部３７がダクト状の連通路として画定されている。
【００２２】
二重壁３０の外壁Ｗ１側の内壁３１の上端であって連通部３７の下端にスリット３８が部屋の空間Ｒに対して下側に開口するように設けられている。スリット３８を通して二重壁３０の内部空間３５と部屋の空間Ｒとが連通している。
【００２３】
また、二重壁３０の戸境壁Ｗ２側の内壁３２の上端内側には内部空間３５に続く空間３３が形成され、空間３３に対応して内壁３２にスリット３９が設けられている。スリット３９および空間３３を通して二重壁３０の内部空間３５と部屋の空間Ｒとが連通している。なお、内壁３１，３２，３１ａは、ＰＢ仕上げとなっている。
【００２４】
図１の建物の防音構造によれば、連通パイプ２７により二重床２０の内部空間２５と二重壁３０の内部空間３５とを連通し、ダクト状の連通部３７により二重壁３０の内部空間３５と二重天井４０の内部空間４５とを連通し、さらに、二重壁３０の上部に設けたスリット３８，３９により二重壁３０の内部空間３５と部屋の空間Ｒとを連通することで、二重床２０への衝撃により内部空間２５の空気圧変動が生じたとき、二重壁３０の内部空間３５と二重天井４０の内部空間４５との空気が連動し、さらに室内の空気が連動することで、空気圧変動を緩和することができる。このようにして、床衝撃時に生じる部屋の空間Ｒおよび二重床２０の内部空間２５における空気圧の変化を極力抑えることができる。このため、二重床への衝撃があっても、かかる衝撃音を緩和することができ、いわゆる太鼓現象による大きな衝撃音の発生を防止できる。
【００２５】
また、第１の連通手段としてパイプ、第２の連通手段としてダクト状の連通路、第３の連通手段としてスリットを設けるだけでよく、簡単な手段でかつ低コストで二重床への衝撃音を緩和できる。
【００２６】
また、巾木を二重床面に密着して設置することができ、従来のように巾木の下部に隙間を設ける必要はなく、ゴミがたまりやすくなる、巾木がしっかり施工されていないような印象を与えてしまう、といった問題が解消され、また、巾木の隙間を目立たなくするために短繊維等の配置が不要である。
【００２７】
次に、図１のスリット（第３の連通手段）の構造について図２，図３を参照して説明する。図２は、図１のスリットを構成するはめ込み式のスリット組立体を概略的に示す斜視図である。図３は、図２のスリット組立体を内壁にはめ込んだ状態を示す断面図（ａ）、同じく図３（ａ）の方向ＢＢから見た図（ｂ）、および、同じく図３（ａ）の方向ＣＣから見た図（ｃ）である。
【００２８】
図２のように、スリット組立体５０は、長方形状の開口５４が形成された第１の板部材５２と、開口５４を跨ぐように第１の板部材５２に立てて互いに間隔を空けて配置された複数の板状のスリット部材５１と、第１の板部材５２に対してスリット部材５１を挟むようにして両端側に配置された一対の第２の板部材５３とから構成されている。スリット組立体５０は、各部材５１〜５３がプラスチック材料や木材等からなり、接着剤やねじ等により接合されて組み立てられることで一体構造となっている。第１の板部材５２と第２の板部材５３との距離Ｌ１は、図３（ａ）の内壁３２の厚さＬ２よりもわずかに大きくなっている。
【００２９】
図２のスリット組立体５０は、図３（ａ）〜（ｃ）のように、内壁３２の長方形状の開口３２ａにはめ込まれるようにして設置され、図１のスリット３９を構成する。すなわち、スリット組立体５０を、内壁３２の表面側から開口３２ａに斜めにして挿入してから、回転させることで、第１の板部材５２と第２の板部材５３との間が内壁３２にはまり込む。このようにして、スリット組立体５０を内壁３２に簡単に取り付けることができ、スリット部材５１と開口５４とがスリット３９を構成し、二重壁３０の内部空間３５と部屋の空間Ｒとを連通することができる。
【００３０】
なお、図１のスリット３８も図２と同様にスリット組立体により構成することができる。
【００３１】
図１において、二重天井４０の天井面４１の一部に開口を設け、この開口に図２と同様のスリット組立体を配置するようにしてもよく、これにより、二重天井４０の内部空間４５と部屋の空間Ｒとを連通することができる。
【００３２】
図４は、図１の二重天井４０の天井面の一部に開口を設け、照明具および透光性のある膜状部材を配置した例を示す要部断面図（ａ）およびその天井面を示す図（ｂ）である。
【００３３】
図４（ａ）、（ｂ）のように、図１の二重天井４０の天井面４１の一部に矩形状の開口５５を設け、この開口５５の位置に蛍光灯等による照明具５７を取り付け、開口５５を覆うようにして透光性のある矩形状の膜部材５６を取り付ける。このとき、膜部材５６は、対向する二辺５６ａ，５６ｂで天井面４１に密着して接着剤やねじ等により固定されるが、他の対向する二辺５６ｃ，５６ｄで天井面４１との間に隙間ができるように取り付けられる。開口５５の端部には枠部材５８がはめ込まれる。
【００３４】
図４（ａ）、（ｂ）によれば、二重天井４０の内部空間４５と部屋の空間Ｒとは、開口５５を通して、さらに膜部材５６と天井面４１との間の隙間を通して図４（ｂ）の方向Ｃに連通することができる。また、天井面４１の開口５５は膜部材５６により覆われることで室内から見えない。なお、天井面４１に開口５５を複数設け、上記と同様の構成としてもよい。また、透光性のある膜部材５６としては、たとえば、PMMAやPC等の透光性のプラスチック材料を用いることができるが、これに限定されるものではなく、たとえば、和紙などを用いてもよい。
【００３５】
〈第２の実施形態〉
図５は第２の実施形態による建物の要部断面を示す断面図である。図６は図５の天井面の要部を示す図である。なお、図５では、説明の便宜上、図１の梁の図示を省略している。
【００３６】
図５の建物６０は、柱梁構造を備える高層の集合住宅であり、多数の部屋が構築され、各部屋は、図１と同様に二重床２０と二重壁３０と二重天井４０とを有する防音構造となっている。以下、図１と同様に部分には同じ符号を付してその説明は省略する。
【００３７】
二重床２０は、防振ゴム６１ａと支持ボルト６１ｂと正方形の受け材６１ｃとで構成された支持脚６１を複数個、一定ピッチで躯体スラブＳの上に配置し、支持脚６１の上に下地板６２，制振シート６３，床仕上材６４を設置したものであり、躯体スラブＳと下地材６２との間に内部空間２５が形成される。
【００３８】
二重壁３０の下端部において内壁３１，３２に孔６５を設けることで、二重床２０の内部空間２５と二重壁３０の内部空間３５とが連通している。また、二重壁３０の上端部において内壁３１，３２に孔４９を設けることで二重壁３０の内部空間３５と二重天井４０の内部空間４５とが連通している。
【００３９】
二重天井４０の天井面４１の一部に形成された開口７２には二重天井４０の内部空間４５の空気圧変動で容易に変形する易変形部７０が設けられている。
【００４０】
図５，図６のように、易変形部７０は、二重天井４０の天井面４１の一部に設けられた矩形状の開口７２を覆うように取り付けられた矩形状の透光性のある伸縮性ゴムシート７１から構成される。開口５５の位置に蛍光灯等による照明具７３が取り付けられ、伸縮性ゴムシート７１で覆われている。伸縮性ゴムシート７１は、その全周が天井面４１に密着して接着剤やねじ等により固定される。開口７２の端部には枠部材７４がはめ込まれる。
【００４１】
図５の建物の防音構造によれば、二重床２０の内部空間２５と二重壁３０の内部空間３５とを孔６５により連通させ、二重壁３０の内部空間３５と二重天井４０の内部空間４５とを孔４９により連通させ、二重天井４０の天井面４１の一部に易変形部７０を設け、二重床２０への衝撃により内部空間２５の空気圧変動が生じたとき、二重壁３０の内部空間３５と二重天井４０の内部空間４５との空気が連動し、さらに二重天井４０の易変形部７０の伸縮性ゴムシート７１が容易に変形し、これにより、空気圧変動を緩和することができる。このようにして、床衝撃時に生じる部屋の空間Ｒおよび二重床２０の内部空間２５における空気圧の変化を極力抑えることができる。このため、二重床への衝撃があっても、かかる衝撃音を緩和することができ、いわゆる太鼓現象による大きな衝撃音の発生を防止できる。
【００４２】
また、第１および第２の連通手段として孔６５，４９を内壁３１，３２の下端部、上端部に設け、易変形手段として伸縮性ゴムシート７１を開口７２に設けるだけでよく、簡単な手段でかつ低コストで二重床への衝撃音を緩和できる。また、伸縮性ゴムシート７１は透光性であるため照明手段を兼用することができ、二重天井４０内に設けた照明具７３により室内を照明することができる。また、天井面４１の開口７２は、伸縮性ゴムシート７１により覆われることで室内から見えない。なお、天井面４１に開口７２を複数設け、上記と同様の構成としてもよい。また、伸縮性ゴムシート７１は、たとえば、シリコンゴムシートを用いることができるが、これに限定されるものではない。
【００４３】
次に、図５の二重天井における別の易変形手段について図７，図８を参照して説明する。図７は、第２の実施形態の変形例による建物の要部断面を示す図５と同様の断面図である。図８は図７のVIII-VIII線方向に切断して見た断面図である。
【００４４】
図７の例は、二重天井の天井面全体が容易に変形するようにしたものである。すなわち、図７，図８のように、二重天井４０は、柔軟性の高い曲面用プラスターボードからなる天井面８１と、天井面８１と接合され天井面を支持する剛性の小さい複数の下地材８２と、二重天井４０の端部に配置されて下地材８２を両端支持する受け部材８３と、を備える。天井面８１と上階の躯体スラブＳとの間に内部空間４５が形成される。
【００４５】
図７の建物の防音構造によれば、図５と同様に二重床２０への衝撃により内部空間２５の空気圧変動が生じたとき、二重壁３０の内部空間３５と二重天井４０の内部空間４５との空気が連動し、さらに二重天井４０の天井面８１の全体が下地材８２とともに容易に変形し、上下方向にその中央部が反ったり、膨らんだりすることにより、空気圧変動を緩和することができる。このようにして、床衝撃時に生じる部屋の空間Ｒおよび二重床２０の内部空間２５における空気圧の変化を極力抑えることができる。このため、二重床への衝撃があっても、かかる衝撃音を緩和することができ、いわゆる太鼓現象による大きな衝撃音の発生を防止できる。
【００４６】
以上のように本発明を実施するための形態について説明したが、本発明はこれらに限定されるものではなく、本発明の技術的思想の範囲内で各種の変形が可能である。たとえば、本発明の防音構造が適用可能な建物は、集合住宅に限定されるものではなく、他の建物であってよいことはもちろんであり、たとえば、オフィイスビル、ホテル、学校、病院などにも好適である。
【産業上の利用可能性】
【００４７】
本発明によれば、簡単な手段で二重床における床衝撃音を緩和することができ、コスト的に有利であるとともに、特に集合住宅において未解決とも言える上下階の生活音に起因する近隣苦情を減らすことに貢献できる防音構造を提供することができる。
【符号の説明】
【００４８】
１０ 建物
２０ 二重床
２５ 内部空間
２７ 連通パイプ
３０ 二重壁
３１ 外壁側内壁
３２ 戸境壁側内壁
３５ 内部空間
３７ 連通部
３８，３９ スリット
４０ 二重天井
４１ 天井面
４５ 内部空間
５０ スリット組立体
５５ 開口
５６ 膜部材
６０ 建物
６１ 支持脚
６５，４９ 孔
７０ 易変形部
７１ 伸縮性ゴムシート
７２ 開口
７３ 照明具
８１ 天井面
８２ 下地材
Ｒ 部屋の空間、室内空間
【図１】
2015017392.tif 000003
【図２】
2015017392.tif 000004
【図３】
2015017392.tif 000005
【図４】
2015017392.tif 000006
【図５】
2015017392.tif 000007
【図６】
2015017392.tif 000008
【図７】
2015017392.tif 000009
【図８】
2015017392.tif 000010